(57)【要約】【課題】  バッテリー搭載の映像表示装置において、ユーザが所望する使用時間を満足しつつ、スクリーン照度を最大とした表示が行えるようにする。【解決手段】  電源としてバッテリーを搭載した映像表示装置において、前記バッテリー１８の残量を検出するバッテリー残量検出手段２２と、このバッテリー１８の残量とユーザが希望する使用時間とから、当該使用時間を満足する範囲で、スクリーンの照度を最大する消費電流値を求める電流計算手段２３と、この電流計算手段２３により得られた電流値で輝度を調整する表示部１７とを具備することで構成される。【選択図】      図１
2008250241.tif 000002
【特許請求の範囲】
【請求項１】
電源としてバッテリーを搭載した映像表示装置において、
前記バッテリーの残量を検出するバッテリー残量検出手段と、
このバッテリーの残量とユーザが希望する使用時間とから、当該使用時間を満足する範囲
で、スクリーンの照度を最大する消費電流値を求める電流計算手段と、
この計算手段により得られた電流値で輝度を調整する表示部と
を具備することを特徴とする映像表示装置。
【請求項２】
前記表示装置は、光源としてＬＥＤまたはレーザを搭載した映像表示装置であり、前記
計算手段で求められる前記消費電流値は、ＬＥＤまたはレーザの駆動電流値であることを
特徴とする請求項１記載の映像表示装置。
【請求項３】
前記映像表示装置は、
前記バッテリーの残量を随時監視し、所望の使用時間を満足するようにＬＥＤまたはレー
ザの駆動電流を調整することを特徴とする請求項２記載の映像表示装置。
【請求項４】
前記の映像表示装置は、
記録メディアを備え、この記録メディアの再生時間を読み出し、この読み出したデータを
前記使用時間として設定することを特徴とする請求項1記載の映像表示装置。
【発明の詳細な説明】
【技術分野】
【０００１】
本発明は、装置を駆動するための電源としてバッテリーを搭載した投影映像表示装置に
関する。
【背景技術】
【０００２】
近年ＬＥＤ技術の発達に伴い光源としてＬＥＤを搭載した投影映像表示装置が実現され
るようになってきた。ＬＥＤ光源は超高圧水銀ランプと比較して１）長寿命、２）色再現
範囲が広い、３）瞬時点灯、再点灯が可能、４）低電力で駆動ができる、５）駆動電流操
作が比較的容易である等の利点が多い。
【０００３】
このような投影映像表示装置は、装置を駆動するための電源としては、外部電源を接続
して使用する他、内部にバッテリーを搭載し、バッテリーからの電源供給を受けて駆動で
きるものもある。なお、投影表示装置において光源は一般に装置内で最も大きく電力を消
費するため、ここで使用される電力がバッテリーの使用可能時間を大きく左右することに
なる。
【０００４】
このため、バッテリーが搭載されている投影映像表示装置では、バッテリーの残量を検
出する機能を有しているものが多い。そして、一方バッテリー残量が少ない場合には、使
用時間中に停止してしまうことを防ぐため、バッテリーの残量が少ないなったことを検出
したときには、消費電流の少ないモードに切り替えて、表示を行うことが行われている（
例えば、特許文献１）。
【特許文献１】特開２００６−１５４６７１号公報
【発明の開示】
【発明が解決しようとする課題】
【０００５】
しかしながら、従来の構成では、ユーザの「使用したい時間」に無関係に決められた出
力でのみ駆動されている。そのためバッテリーの残量に余裕があっても、さらに明るい映
像を提供することもなく、一方バッテリー残量が少ない場合は使用時間中に装置が停止し
てしまうことにもなる、という問題点があった。
【０００６】
本発明は、上記事情によりなされたもので、その目的は、ユーザが所望する使用時間を
満足しつつ、スクリーン照度を最大とした映像表示装置を提供することを目的とする。
【課題を解決するための手段】
【０００７】
上記目的を達成するために本発明は、電源としてバッテリーを搭載した映像表示装置に
おいて、前記バッテリーの残量を検出するバッテリー残量検出手段と、このバッテリーの
残量とユーザが希望する使用時間とから、当該使用時間を満足する範囲で、スクリーンの
照度を最大する消費電流値を求める電流計算手段と、この計算手段により得られた電流値
で輝度を調整する表示部とを具備することを特徴とする。
【０００８】
このような構成を有することにより、ユーザが所望する使用時間を満足しつつ、スクリ
ーン照度を最大とした表示が行えるようになる。
【発明の効果】
【０００９】
以上説明したように、本発明では、このバッテリーの残量とユーザが希望する使用時間
とから、表示装置の輝度を制御するという構成をとるため、本件は映像表示装置において
、ユーザが所望する使用時間を満足しつつ、スクリーン照度を最大とする事ができる。
【発明を実施するための最良の形態】
【００１０】
以下、図面を参照して本発明の実施の形態を詳細に説明する。
ここで説明する投影映像表示装置は、装置を駆動するための電源としてバッテリーを搭載
するとともにバッテリーの残量を検出する機能を有する。投影表示装置において光源は一
般に装置内で最も大きく電力を消費するためここで使用される電力がバッテリーの使用可
能時間を大きく左右することになる。
【実施例１】
【００１１】
本発明の実施例１について説明する。
図１は、本実施例の映像表示装置の全体構成を示すブロック図である。
符号１１は入力端子で、アナログの映像信号が入力されている。この入力端子１１に入力
されたアナログの映像信号は、Ａ／Ｄ（analog／digital）変換部１２に供給されてデジ
タル化された後、映像処理部１３に供給される。
【００１２】
また、図２において、符号１４は入力端子で、デジタル符号化された映像信号が入力さ
れている。この入力端子１５に入力された、デジタル符号化された映像信号は、映像デコ
ーダ部１５に供給されてデジタル復号化処理が施された後、上記映像処理部１３に供給さ
れる。
【００１３】
そして、上記映像処理部１３は、Ａ／Ｄ変換部１２から供給されるデジタルの映像信号
と、映像デコーダ１５から供給されるデジタルの映像信号とから一方を選択し、例えばス
ケーリング処理や輪郭補正処理等の映像表示に必要な各種の処理を施した後、光学制御部
１６に出力している。
【００１４】
このＬＥＤ駆動電流制御部１６は、映像処理部１３から供給されるデジタルの映像信号
のうち、各色成分Ｒ，Ｇ，Ｂに対応した映像信号に対して、それぞれコントラスト調整処
理を施した後、ＬＥＤ表示部１７に供給される。
【００１５】
そして、ＬＥＤ表示部１７は、ＬＥＤ駆動電流制御部１６からの信号に基づき、光を出射
することで、スクリーンに拡散投射され、ここに映像表示が行われる。
一方、装置内の各部電源を供給するためにバッテリー１８が設けられている。また、バ
ッテリー１８は、外部電源用コンセント（図示せず）が接続できるようになっている。バ
ッテリー１８は、外部電源に接続されているときに充電を行い、外部電源からの電源の供
給を受けないときには、バッテリー１８から装置内の各部に電源を供給する。
【００１６】
そして、この映像表示装置は、上記した映像処理動作を含むその全ての動作を制御部１
９により統括的に制御されている。この制御部１９は、ＣＰＵ（ｃｅｎｔｒａｌｐｒｏｃ
ｅｓｓｉｎｇ ｕｎｉｔ）等を内蔵しており、上記操作部２０からの操作情報、または、
受信部２１を介して入力されたリモートコントローラ２２からの操作情報を、その操作内
容が反映されるように各部をそれぞれ制御している。更に、制御部１９には、バッテリー
１８の残量を検出するバッテリー残量検出部２２と、このバッテリー残量検出部２２で検
出したバッテリー残量と、ユーザが指定した使用時間とから、必要なＬＥＤ駆動電流量を
算出する電流計算部２３が設けられている。
【００１７】
また、制御部１９は、メモリ部２３を利用している。このメモリ部２４は、主として、
ＣＰＵが実行する制御プログラムを格納したＲＯＭ（ｒｅａｄｏｎｌｙ ｍｅｍｏｒｙ）
と、該ＣＰＵに作業エリアを提供するＲＡＭ（ｒａｎｄｏｍａｃｃｅｓｓ ｍｅｍｏｒｙ
）と、各種の設定情報及び制御情報等が格納される不揮発性メモリとを有している。
【００１８】
次に、ＬＥＤ駆動電流決定プロセスについて、説明する。
図２は、ＬＥＤ駆動電流決定プロセスを示すフローチャートである。
バッテリー１８を搭載された映像表示装置では、外部電源が接続されていない場合は、
バッテリー１８の電源のみで駆動される。まず、ステップＳ３１で、外部電源を接続しな
い状態で装置の起動を行った時、または外部電源を接続した状態で使用中に、停電あるい
は電源コードが外れた等で外部からの電源が途絶えたときには、制御部はこれを検出して
、ユーザに対して「使用時間」の入力を促す。ここで、ユーザへ報知方法としては、本体
の表示部（図示せず）に表示する方法、スクリーンに投射した画面上に表示する方法、音
声等で知らせる方法等、どのような方法でもよい。
【００１９】
これに対して、ステップＳ３２で、ユーザは操作部２０またはリモートコントローラ２
２を介して、希望する使用時間を入力する。
ユーザからの使用時間の入力が行われると、ステップＳ３３で制御部１９のバッテリー
残量検出部２２はバッテリーの残量を検出する。
そして、ステップＳ３４で、電流計算部２３は、検出したバッテリーの残量から、入力
された「使用時間」内にバッテリー１８の容量がなくならない最大かつＬＥＤ規格内の電
流値で算出し、ＬＥＤ駆動電流制御部１６に制御信号を出力する。そして、ＬＥＤ駆動電
流制御部１６がＬＥＤの駆動電流を制御する。
【００２０】
本実施例によれば、ＬＥＤの明るさは電流値に略比例するため、装置はユーザが所望す
る使用時間を満足する範囲で、スクリーンの照度を最大にして映像の投射を行うことが可
能となる。
【実施例２】
【００２１】
次に実施例２について説明する。本実施例は、前記実施例１に更にバッテリー残量フィ
ードバックプロセスを追加したものである。
図３は、バッテリー残量フィードバックプロセスを示すフローチャートである。なお、
ステップＳ３１乃至ステップＳ３４は、図２と同様のため説明を省略する。
ステップＳ３４では、「使用時間」内にバッテリー１８の容量がなくならない範囲で最
大かつＬＥＤ規格内の電流値で動作している状態となっている。次にステップＳ３５で、
ユーザが入力した使用時間に対して残り時間がどれくらい残っているかを算出する。ここ
で、残り時間が０となった場合は、電源をＯＦＦし、終了となる。
【００２２】
ステップＳ３５において、残り時間が０でない（残り時間がある）場合は、ステップＳ
３６で、バッテリー残量検出部２２は、その時点でのバッテリー１８の残量（Ｗ１）を検
出する。また、残り時間を現在の消費電力で使用を継続時の電力量（Ｗ２：Ｗ２＝現在の
使用電力×残使用時間）を算出する。そして、Ｗ１とＷ２を比較する。
【００２３】
ここで、バッテリー残量Ｗ１がＷ２より大きいときは、ステップＳ３５に戻る。逆にバ
ッテリー残量Ｗ１がＷ２より小さいときには、ステップＳ３７に移行して電流計算部２３
が新たなＬＥＤ駆動電流を計算してＬＥＤ駆動電流量を削減して、ステップＳ３５に戻る
。ここで、ＬＥＤ駆動電流量の削減する場合の電流変化量は、ユーザが違和感を覚えない
レベルに制限する方が望ましい。しかしながら、電流変化量を制限すると、その後のバッ
テリー１８の残量の減少が大きくなるため、ユーザが違和感を覚えても、バッテリー残量
に対応した電流量に削減する方法でもよい。
【００２４】
本実施例によれば、起動を開始した時点で算出したＬＥＤ駆動電流と、バッテリー１８
の残量の減り方に乖離が生じてきた場合であっても、適切にＬＥＤ駆動電流を制御できる
ため、装置はユーザが所望する使用時間を満足する範囲で、スクリーンの照度を最大にし
て映像の投射を継続することが可能となる。
【実施例３】
【００２５】
実施例３は前記実施例１及び実施例２に加えて、ＤＶＤ等の記録メディア２４を搭載し
た場合の実施例である
図４は、実施例３に関する全体構成を示すブロック構成図である。図１の構成に加えて
、記録メディア２４が追加されている。
図５は、ＤＶＤ等記録メディア搭載時のＬＥＤ駆動電流決定プロセスを示す。図２では
、ユーザが直接「使用時間」を入力したが、ここでは視聴するメディアの再生時間を記録
メディア２４から読み取り、ユーザの「使用時間」として設定する。
【００２６】
まず、ステップＳ４１で、外部電源を接続しない状態で装置の起動を行った時、または
外部電源を接続した状態で使用中に、停電あるいは電源コードが外れた等で外部からの電
源が途絶えたときには、制御部はこれを検出して、記録メディア２５から再生されている
メディアの再生時間に関するデータを読み込む。
【００２７】
そして、ステップＳ４２で、使用時間の設定が行われる。
その後のステップＳ４３のバッテリー残量確認と、ステップＳ４４のＬＥＤ駆動電流の
決定は、図２と同様のため説明を省略する。
本実施例では、ユーザが使用時間を入力しなくても、記録メディア２５から自動的に使
用時間を検出するため、より簡便に使用が可能となる。
以上説明した各実施例では、ＬＥＤを表示装置として使用するＬＥＤ映像表示装置を一
例として説明したが、これに限られず、バッテリー１８を搭載した映像表示装置であれば
、レーザや、液晶やその他の表示素子を用いた映像表示装置においても、適用可能である
。
【００２８】
また、この発明は上記した実施の形態そのままに限定されるものではなく、実施段階で
はその要旨を逸脱しない範囲で構成要素を種々変形して具体化することができる。また、
上記した実施の形態に開示されている複数の構成要素を適宜に組み合わせることにより、
種々の発明を形成することができる。例えば、実施の形態に示される全構成要素から幾つ
かの構成要素を削除しても良いものである。さらに、異なる実施の形態に係る構成要素を
適宜組み合わせても良いものである。
【図面の簡単な説明】
【００２９】
【図１】本発明の実施例１に関わる全体構成を示すブロック図。
【図２】本発明の実施例１に関わるＬＥＤ駆動電流決定プロセスを示すフローチャート。
【図３】本発明の実施例２に関わるバッテリー残量フィードバックプロセスを示すフローチャート。
【図４】本発明の実施例３に関わる全体構成を示すブロック構成図。
【図５】本発明の実施例３に関わるＬＥＤ駆動電流決定プロセスを示すフローチャート。
【符号の説明】
【００３０】
１３・・・映像処理部
１６・・・ＬＥＤ駆動電流制御部
１７・・・ＬＥＤ表示部
１８・・・バッテリー
１９・・・制御部
２０・・・操作部
２２・・・バッテリー残量検出部
２３・・・電流計算部
２４・・・メモリ部
２５・・・記録メディア
【図１】
2008250241.tif 000003
【図２】
2008250241.tif 000004
【図３】
2008250241.tif 000005
【図４】
2008250241.tif 000006
【図５】
2008250241.tif 000007